(57)【要約】【課題】筆記が行えると共に静電入力方式の入力装置へ入力が行える鉛筆を、多くの学童が利用できるように、簡単な構造で安価に提供できるようにする。【解決手段】軸体３を形成する複数の軸部材４，５に設けた溝部４０ａ，５０ａに黒鉛と粘土とを焼き固めた芯２を配し、複数の軸部材４，５を結合することにより芯２を軸体３で保持する構造の鉛筆１において、芯２に、内側縁部Ｎが芯２と電気的に導通し且つ外側縁部Ｇが軸部材の外面から露出する導通部６を連設する。【選択図】図１
2015077743.tif 000002
【特許請求の範囲】
【請求項１】
軸体を形成する複数の軸部材に設けた溝部に黒鉛と粘土とを焼き固めた芯を配し、前記複数の軸部材を結合することにより前記芯を前記軸体で保持する構造の鉛筆において、前記芯に、内側縁部が前記芯と電気的に導通し且つ外側縁部が前記軸部材の外面から露出する導通部を連設したことを特徴とする鉛筆。
【請求項２】
前記導電部を、前記複数の軸部材を結合する導電性接着剤で形成したことを特徴とする請求項１に記載の鉛筆。
【発明の詳細な説明】
【技術分野】
【０００１】
本発明は、黒鉛と粘土を焼き固めた芯と当該芯を保持する軸体とを備えた鉛筆に関する。
【背景技術】
【０００２】
鉛筆は、構造が単純であることから価格的に安く提供されており、特に小学生など学童の授業においてかなりの比率で使用され、学校の試験や公的資格の試験会場においても鉛筆の使用が指定されている場合が多く、電子化が進んだ現在でもその需要は高いものである。
【０００３】
一方、特許文献１に記載されているような、手で持って使用する薄形のタッチパネル形式の入力装置が市場で人気を得ており、静電入力方式の入力装置の入力画面に指先で触れて入力を行ったり、特許文献２で開示されているように、導電性ゴムで形成された入力部を前方に設けた入力ペンで入力装置の入力画面を紙と同じように扱って、入力画面に絵を描いたり文字を書いたりすることができる入力ペンの需要が高くなっている。
【０００４】
また近年、前述のタッチパネル形式の入力装置は、仕事や趣味での利用以外にも、学校における授業で、電子化した教科書のデータを入力装置の画面に表示させて利用することが考えられている。このような状況下で古くから使用されている鉛筆の付加価値を考えた場合、書き味の向上などで革新的な性能向上はあまり望めない状況にあるものの、紙に筆記を行うという古くからの技術に対して、入力ペンで入力装置に入力を行うという新しい技術が広く普及されてきている現代にこそ、鉛筆の新しい付加価値を考えることが必要とされている。
【先行技術文献】
【特許文献】
【０００５】
【特許文献１】特開２０１１−８１８２５号公報
【特許文献２】特許第４１４２７７６号公報
【発明の概要】
【発明が解決しようとする課題】
【０００６】
本願発明者らは、鉛筆の軸体は、一般的に木材で成形されていることから絶縁体であるが、黒鉛と粘土を焼き固めた芯は、電気を通す良導体であることに着眼し、このような鉛筆の性質を利用して、筆記が行えると共に静電入力方式の入力装置へ入力が行える鉛筆を、多くの学童が利用できるように、簡単な構造で安価に提供できるようにすることを目的とした。
【課題を解決するための手段】
【０００７】
本発明は、
「１．軸体を形成する複数の軸部材に設けた溝部に黒鉛と粘土とを焼き固めた芯を配し、前記複数の軸部材を結合することにより前記芯を前記軸体で保持する構造の鉛筆において、前記芯に、内側縁部が前記芯と電気的に導通し且つ外側縁部が前記軸部材の外面から露出する導通部を連設したことを特徴とする鉛筆。
２．前記導電部を、前記複数の軸部材を結合する導電性接着剤で形成したことを特徴とする前記１項に記載の鉛筆。」である。
【０００８】
本発明における軸体を形成する軸部材は、軸体の先端部を先細り形状に削ることで芯を露出させて筆記ができるように、木材や樹脂材など切削性のよい材料で成形するとよい。尚、一般的な鉛筆で使用されている木材を軸部材に使用すれば、特に安価なものを提供することが可能になるだけでなく、筆記時における書き心地が一般的な鉛筆に近いものとなるので、学童が使用するのに適したものとなる。尚、芯の硬度は、入力装置の入力画面である操作領域を傷付けないよう、２Ｂかそれ以上に軟らかい硬度のものがよい。
【０００９】
また本発明における導電部は、使用者が軸体のどこを握っても、また軸体を削ることで鉛筆が短くなっても手が導電部に触れるようにするために、軸体の全長に渡って導電部の外側縁部を露出させることが好ましく、軸体を構成する軸部材を結合する接着剤に導電性を有する導電性接着剤を使用し、軸体の外面から導電性接着剤が露出するようにすることで、軸体の全長に渡って導電部とその外側縁部とを有する構造を容易に得ることができる。
または、黒鉛と粘土とを焼き固めた芯の本体部の側方へ延出する延出部を押出成形により一体に形成し、この延出部を導通部としてその外側縁部が軸体の外面から露出するように構成してもよい。
あるいは、複数の軸部材にて金属箔やカーボンシートなどの導電性を有する導電性シートを当接させた状態で挟み込み、芯に導電性シートの内側縁部を連設させると共に、導電性シートの外側縁部を軸体の外面から露出するように構成してもよい。この場合、導電性シートは、軸部材に挟み込む際において、円柱状の芯や軸部材の芯を配設する半円状の溝部の形状に馴染むように、可撓性を有するものが好適であり、軸体と同様に鉛筆削りで削れる切削性を有するものがよい。
【発明の効果】
【００１０】
本発明では、軸体を削って露出させた芯によって紙への筆記が行えると共に、軸体の外面から露出した導電部に使用者の手が触れることによって、導電部と連接した芯の先端で静電入力方式の入力装置へ入力が行える鉛筆を、簡単な構造で得ることができた。
【図面の簡単な説明】
【００１１】
【図１】図１は実施例１における鉛筆の斜視図である。
【図２】図２は図１のＡ−Ａ線断面図である。
【図３】図３は図１に示した鉛筆の製造工程を示す図である
【図４】図４は図１に示した鉛筆で紙へ筆記を行っている状態の図である。
【図５】図５は図１に示した鉛筆で静電容量方式の入力装置へ入力を行っている状態の図である。
【図６】図６は実施例２における鉛筆の斜視図である。
【図７】図７は図６のＢ−Ｂ線断面図である。
【図８】図８は図６に示した鉛筆の製造工程を示す図である
【図９】図９は図６に示した鉛筆で紙へ筆記を行っている状態の図である。
【図１０】図１０は図６に示した鉛筆で静電容量方式の入力装置へ入力を行っている状態の図である。
【図１１】図１１は実施例３における鉛筆の斜視図である。
【図１２】図１２は図１１のＣ−Ｃ線断面図である。
【図１３】図１３は図１１に示した鉛筆の製造工程を示す図である
【図１４】図１４は図１１に示した鉛筆で紙へ筆記を行っている状態の図である。
【図１５】図１５は図１１に示した鉛筆で静電容量方式の入力装置へ入力を行っている状態の図である。
【発明を実施するための形態】
【００１２】
次に図面を参照しながら、本発明の実施の形態の具体例（以下、実施例と記載する）を
説明するが、本発明は以下の実施例に限定されるものではない。
また、説明を分かりやすくするために、図面中の同様の部材、同様の部分については同じ番号を付してある。
【００１３】
（実施例１）
図１から図５を用いて実施例１の説明を行う。
図１は実施例１の鉛筆の斜視図で、図２は図１のＡ−Ａ線断面図である。
実施例１の鉛筆１は、黒鉛と粘土を焼き固めた芯２を、木材で成形した断面が六角形状の軸体３で保持する構造であり、軸体３の先端部を鉛筆削りで円錐状に削り、芯２の先端部２ａを露出させてある。
軸体３を形成する二本の軸部材４，５の間には、導電性接着剤６０からなる導電部６を設けてある。導電性接着剤６０は、芯２と軸部材４，５とを接着しており、導電性接着剤６０からなる導電部６は、芯２と軸部材４，５との間に位置する円形部分６ａと、軸部材４と軸部材５との間に位置する平面部分６ｂとを有している。
また、導電部６の平面部分６ｂの外側縁部Ｇは、軸体３の全長に渡って軸筒３の外面３ａから露出させており、軸体３を把持した使用者の手が導電部６に触れるようにしてある。尚、芯２に対して導電部６の平面部分６ｂの内側縁部Ｎを電気的に導通するように連設させてあることから、芯２と導電部６の外側縁部Ｇとは電気的に導通する。
【００１４】
次に、図３を用いて実施例１の鉛筆の製造工程に関して説明を行う。図３は、図２と同じく鉛筆の横断面方向を示しており、図３Ａでは、図２で示した軸部材４を形成する板材４０には、複数の半円状の溝部４０ａを設けてあり、各溝部４０ａの両脇には、平面状の溝部４０ｂを設けてある。また図２で示した軸部材５を形成する板材５０には、複数の半円状の溝部５０ａを設けてあり、溝部５０ａの両脇には、平面状の溝部５０ｂを設けてある。
また、板材４０および板材５０の各溝部には、導電性接着剤６０を塗布してあり、溝部４０ａと溝部５０ａとの隙間に黒鉛と粘土を焼き固めた芯２を配設して板材４０と板材５０とを重ねることで、板材４０と板材５０との接着を行うと共に芯２の接着を行い一体としてある。こうすることで芯２と導電性接着剤６０とが導通状態となる。尚、図３Ｂの状態から、図３Ｃに示すように、板材４０と板材５０の上下にＶ溝４０ｃ，５０ｃを切削することにより、図２で示したような鉛筆１が形成される。
【００１５】
次に、図４を用いて、本実施例の鉛筆１で、紙面に筆記する状態について説明を行う。図に示すように鉛筆１は、芯２の先端部２ａで紙１００に文字１００ａを書くことができた。
【００１６】
次に、図５を用いて、本実施例の鉛筆１で、静電容量方式の入力装置に入力する状態について説明を行う。図に示すように鉛筆１は、芯２の先端部２ａを静電容量方式の入力装置１１０における操作領域１１０ａに接触させて摺動させると、使用者が把持した軸体３の導電部６と芯２とを通じて操作領域１１０ａに静電変化を生じさせ、画像作成ソフトウェアの画面に線１１０ｂを描くことができた。
【００１７】
（実施例２）
図６から図１０を用いて実施例２の説明を行う。
図６は実施例２の鉛筆の斜視図で、図７は図６のＢ−Ｂ線断面図である。
実施例２の鉛筆１１は、黒鉛と粘土を焼き固めた芯１２を、木材で成形した断面が六角形状の軸体１３で保持する構造であり、軸体１３の先端部を鉛筆削りで円錐状に削り、芯１２の先端部１２ａを露出させてある。
軸体１３を形成する二本の軸部材１４，１５の間には、芯１２の本体部１２ｂの側方へ延出する延出部１２ｃを一体に形成し、導電部１６としてある。
また、導電部１６の外側縁部１Ｇは、軸体１３の全長に渡って軸筒１３の外面１３ａから露出させており、導電部１６に軸体１３を把持した使用者の手が触れるようにしてある。尚、芯１２の本体部１２ｂに対して導電部１６（延出部１２ｃ）の内側縁部１Ｎを電気的に導通するように連設させてあることから、芯１２の本体部１２ｂと導電部１６（延出部１２ｃ）の外側縁部１Ｇとは電気的に導通する。
【００１８】
次に、図８を用いて実施例２の鉛筆の製造工程に関して説明を行う。図８は、図７と同じく鉛筆の横断面方向を示しており、図８Ａでは、図７で示した軸部材１４を形成する板材１４０には、複数の半円状の溝部１４０ａを設けてあり、各溝部１４０ａの両脇には、平面状の溝部１４０ｂを設けてある。また図７で示した軸部材１５を形成する板材１５０には、複数の半円状の溝部１５０ａを設けてあり、溝部１５０ａの両脇には、平面状の溝部１５０ｂを設けてある。
また、黒鉛と粘土を焼き固めた芯１２は、本体部１２ｂの両側から直線上（図７においては上下方向）に延出させた延出部１２ｃを設けてあり、板材１４０，１５０の半円状の溝部１４０ａ，１５０ａには芯１２の本体部１２ｂを、板材１４０，１５０の平面状の溝部１４０ｂ，１５０ｂには芯１２の延出部１２ｃを配設すると共に、板材１４０，１５０における互いの接触面に接着剤（図示せず）を塗布して板材１４０と板材１５０とを重ねることで、板材１４０と板材１５０および芯１２の接着を行い一体としてある。尚、図８Ｂの状態から、図８Ｃに示すように、板材１４０と板材１５０の上下にＶ溝１４０ｃ，１５０ｃを切削することにより、図７で示したような鉛筆１１が形成される。
【００１９】
次に、図９を用いて、本実施例の鉛筆１１で、紙面に筆記する状態について説明を行う。図に示すように鉛筆１１は、芯１２の先端部１２ａで紙１１０に文字１１０ａを書くことができた。
【００２０】
次に、図１０を用いて、本実施例の鉛筆１１で、静電容量方式の入力装置に入力する状態について説明を行う。図に示すように鉛筆１１は、芯１２の先端部１２ａを静電容量方式の入力装置１１０における操作領域１１０ａに接触させて摺動させると、使用者が把持した軸体１３の導電部１６と芯１２とを通じて操作領域１１０ａに静電変化を生じさせ、画像作成ソフトウェアの画面に線１１０ｂを描くことができた。
【００２１】
（実施例３）
図１１から図１５を用いて実施例３の説明を行う。
図１１は実施例３の鉛筆の斜視図で、図１２は図１１のＣ−Ｃ線断面図である。
実施例３の鉛筆２１は、黒鉛と粘土を焼き固めた芯２２を、木材で成形した断面が六角形状の軸体２３で保持する構造であり、軸体２３の先端部を鉛筆削りで円錐状に削り、芯２２の先端部２２ａを露出させてある。
軸体２３を形成する二本の軸部材２４，２５の間には、導電性を有するカーボンシート２６０からなる導電部２６を設けてある。カーボンシート２６０は、芯２２と軸部材２４，２５との間に接着剤を塗布して接着されており、カーボンシート２６０からなる導電部２６は、芯２２と軸部材２４との間に位置する半円形部分２６ａと、軸部材２４と軸部材２５との間に位置する平面部分２６ｂとを有している。
また、導電部２６の平面部分２６ｂの外側縁部２Ｇは、軸体２３の全長に渡って軸筒２３の外面２３ａから露出させており、導電部２６に軸体２３を把持した使用者の手が触れるようにしてある。尚、芯２２に対して導電部２６（平面部分２６ｂ）の内側縁部２Ｎを電気的に導通するように連結してあることから、芯２２と導電部２６の外側縁部２Ｇとは電気的に導通する。
【００２２】
次に、図１３を用いて実施例３の鉛筆の製造工程に関して説明を行う。図１３は、図１２と同じく鉛筆の横断面方向を示しており、図１３Ａでは、図１２で示した軸部材２４を形成する板材２４０には、複数の半円状の溝部２４０ａを設けてある。また図１２で示した軸部材２５を形成する板材２５０には、複数の半円状の溝部２５０ａを設けてある。
溝部２４０ａと溝部２５０ａとの隙間に黒鉛と粘土を焼き固めた芯２２を配設すると共に、板材２５０と芯２２との間に可撓性を有したカーボンシート２６０を配し、板材２４０，２５０と芯２２およびカーボンシート２６０における互いの接触面に接着剤（図示せず）を塗布して板材２４０と板材２５０とを重ねることで、板材２４０と板材２５０と芯２２およびカーボンシート２６０の接着を行い一体としてある。
尚、図１３Ｂの状態から、図１３Ｃに示すように、板材２４０と板材２５０の上下にＶ溝２４０ｂ，２５０ｂを切削することにより、図１２で示したような鉛筆２１が形成される。本実施例では、図１３Ｃの状態で鉛筆２１が正六角形になるように、カーボンシート２６０の厚さを考慮して、板材２５０の板厚Ｔ２を板材２４０の板厚Ｔ１より薄くし、板材２５０の半円状の溝部２５０ａの半径Ｒ２を板材２４０の半円状の溝部２４０ａの半径Ｒ１より大きく形成してある。
【００２３】
次に、図１４を用いて、本実施例の鉛筆２１で、紙面に筆記する状態について説明を行う。図に示すように鉛筆２１は、芯２２の先端部２２ａで紙１１０に文字１１０ａを書くことができた。
【００２４】
次に、図１５を用いて、本実施例の鉛筆２１で、静電容量方式の入力装置に入力する状態について説明を行う。図に示すように鉛筆２１は、芯２２の先端部２２ａを静電容量方式の入力装置１１０における操作領域１１０ａに接触させて摺動させると、使用者が把持した軸体２３の導電部２６と芯２２とを通じて操作領域１１０ａに静電変化を生じさせ、画像作成ソフトウェアの画面に線１１０ｂを描くことができた。
【符号の説明】
【００２５】
１，１１，２１…鉛筆、
２，１２，２２…芯、
２ａ，１２ａ，２２ａ…先端部、１２ｂ…本体部、１２ｃ…延出部、
３，１３，２３…軸体、３ａ，１３ａ，２３ａ…外面、
４，１４，２４…軸部材、５，１５，２５…軸部材、
４０…板材、４０ａ…半円状の溝部、４０ｂ…平面状の溝部、４０ｃ…Ｖ溝、
５０…板材、５０ａ…半円状の溝部、５０ｂ…平面状の溝部、５０ｃ…Ｖ溝、
１４０…板材、１４０ａ…半円状の溝部、１４０ｂ…平面状の溝部、１４０ｃ…Ｖ溝、
２４０…板材、２４０ａ…半円状の溝部、２４０ｂ…Ｖ溝、
１５０…板材、１５０ａ…半円状の溝部、１５０ｂ…平面状の溝部、１５０ｃ…Ｖ溝、
２５０…板材、２５０ａ…半円状の溝部、２５０ｂ…Ｖ溝、
６…導電部、６ａ…円形部分、６ｂ…平面部分、６０…導電性接着剤、
１６…導電部、
２６…導電部、２６ａ…半円形部分、２６ｂ…平面部分、２６０…カーボンシート、
Ｎ，１Ｎ，２Ｎ…内側縁部、Ｇ，１Ｇ，２Ｇ…外側縁部、
１００…紙、１００ａ…文字、
１１０…入力装置、１１０ａ…操作領域、１１０ｂ…線。
【図１】
2015077743.tif 000003
【図２】
2015077743.tif 000004
【図３】
2015077743.tif 000005
【図４】
2015077743.tif 000006
【図５】
2015077743.tif 000007
【図６】
2015077743.tif 000008
【図７】
2015077743.tif 000009
【図８】
2015077743.tif 000010
【図９】
2015077743.tif 000011
【図１０】
2015077743.tif 000012
【図１１】
2015077743.tif 000013
【図１２】
2015077743.tif 000014
【図１３】
2015077743.tif 000015
【図１４】
2015077743.tif 000016
【図１５】
2015077743.tif 000017